(57)【要約】      （修正有）【課題】氷水の入っている風船又は缶等のクーラントにより台風雲の生起・移動・消滅の制御を運用するエコロジー処理コンピュータ台風対策飛行船を提供する。【解決手段】ＧＰＳ航法台風ガイド５、により情報化された雨や雷などの台風雲６、に雲４、を水滴にする氷水の入っている風船又は缶等のクーラント３、を搭載の飛行船１、で電波時計９、と１００万分の１秒高速度カメラ８、で地上台風被害市街地７、の上空を情報化運用し、雲の生起・移動・消滅により晴・曇・雨とする。【選択図】図１
0003158061.tif 000002
【実用新案登録請求の範囲】
【請求項１】
氷水の入っている風船又は缶等のクーラントを搭載した飛行船エコロジー処理コンピュータ台風。
【請求項２】
ＧＰＳ航法台風ガイドを具備する事を特徴とする請求項１記載のエコロジー処理コンピュータ台風。
【請求項３】
１００万分の１秒高速度カメラを具備する事を特徴とする請求項１記載のエコロジー処理コンピュータ台風。
【請求項４】
電波時計を具備する事を特徴とする請求項１記載のエコロジー処理コンピュータ台風。
【考案の詳細な説明】
【技術分野】
【０００１】
本考案は、従来のエコロジー処理コンピュータ台風としての氷水の入っている風船又は缶等のクーラントによる台風雲制御エコロジー処理コンピュータ台風に関する。
【背景技術】
【０００２】
人工衛星ひまわりによる雨や雷などの台風雲情報化エコロジー処理コンピュータ台風です。
【考案の開示】
【考案が解決しようとする課題】
【０００３】
しかしながら、人工衛星ひまわりによる台風雲情報化エコロジー処理コンピュータ台風では、情報化までで、台風雲を制御できないという欠点がある。
【０００４】
本考案は、上記実情に鑑みてなされたものであり、氷水の入っている風船又は缶等のクーラントにより、台風雲の生起・移動・消滅の制御をする事を目的としている。
【課題を解決するための手段】
【０００５】
上記目的を達成するため考案は、氷水の入っている風船又は缶等のクーラントを情報化された台風雲制御に運用する手段を有することであり、次の構成を含むことを特徴としている。
ＧＰＳ航法台風ガイド（宇宙の人工衛星３個の電波を利用して、台風雲の位置を知り）による雨や雷などの台風雲を生起・移動・消滅制御する氷水の入っている風船又は缶等のクーラントを搭載する飛行船の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風は図１に示すように、ＧＰＳ航法台風ガイド５、により情報化された雨や雷などの台風雲６、に、雲４、水滴にする氷水の入っている風船又は缶等のクーラント３、を塔載の飛行船１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風を示す図である。
【符号の説明】
【０００９】
１          飛行船（氷水の入っている風船又は缶等のクーラント）
３          氷水の入っている風船又は缶等のクーラント
４          雲
５          ＧＰＳ航法台風ガイド
６          雨や雷などの台風雲
７          地上台風被害市街地
８          １００万分の１秒高速度カメラ
９          電波時計
【図１】
0003158061.tif 000003
【手続補正書】
【提出日】平成20年12月5日(2008.12.5)
【手続補正１】
【補正対象書類名】実用新案登録請求の範囲
【補正対象項目名】全文
【補正方法】変更
【補正の内容】
【実用新案登録請求の範囲】
【請求項１】
台風雲の生起・移動・消滅を制御する氷水の入っている風船又は缶等のクーラントを搭載した飛行船エコロジー処理コンピュータ台風機。
【請求項２】
ＧＰＳ航法システムを具備する事を特徴とする請求項１記載のエコロジー処理コンピュータ台風機。
【請求項３】
飛行船から台風雲にねらいを決める情報化装置１００万分の１秒高速度カメラを具備する事を特徴とする請求項１記載のエコロジー処理コンピュータ台風機。
【請求項４】
ＧＰＳ航法システムとの同時性を創る電波時計を具備する事を特徴とする請求項１記載のエコロジー処理コンピュータ台風機。
【手続補正２】
【補正対象書類名】明細書
【補正対象項目名】全文
【補正方法】変更
【補正の内容】
【考案の詳細な説明】
【技術分野】
【０００１】  本考案は、従来のエコロジー処理コンピュータ台風機としての氷水の入っている風船又は缶等のクーラントによる台風雲制御エコロジー処理コンピュータ台風機に関する。
【背景技術】
【０００２】  人工衛星ひまわりによる雨や雷などの台風雲情報化エコロジー処理コンピュータ台風機です。
【考案の開示】
【考案が解決しようとする課題】
【０００３】  しかしながら、人工衛星ひまわりによる台風雲情報化エコロジー処理コンピュータ台風機では、情報化までで、台風雲を制御できないという欠点がある。【０００４】  本考案は、上記実情に鑑みてなされたものであり、氷水の入っている風船又は缶等のクーラントにより、台風雲の生起・移動・消滅の制御をする事を目的としている。
【課題を解決するための手段】
【０００５】  上記目的を達成するため考案は、氷水の入っている風船又は缶等のクーラントを情報化された台風雲制御に運用する手段を有することであり、次の構成を含むことを特徴としている。  ＧＰＳ航法システム（宇宙の人工衛星３個の電波を利用して、台風雲の位置を知り）による雨や雷などの台風雲を生起・移動・消滅制御する氷水の入っている風船又は缶等のクーラントを搭載する飛行船の運用によるものである。
【考案の効果】
【０００６】  本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】  本考案の実施の形態の一例について、図面を参照しながら説明する。  エコロジー処理コンピュータ台風機は図１に示すように、ＧＰＳ航法システム５、により情報化された雨や雷などの台風雲６、に、雲４、水滴にする氷水の入っている風船又は缶等のクーラント３、を塔載の飛行船１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風機を示す図である。
【符号の説明】
【０００９】  １          飛行船（氷水の入っている風船又は缶等のクーラントとＧＰＳ航法システム塔載）  ３          氷水の入っている風船又は缶等のクーラント  ４          雲  ５          ＧＰＳ航法システム  ６          雨や雷などの台風雲  ７          地上台風被害市街地  ８          １００万分の１秒高速度カメラ  ９          電波時計
【手続補正書】
【提出日】平成21年2月20日(2009.2.20)
【手続補正１】
【補正対象書類名】明細書
【補正対象項目名】全文
【補正方法】変更
【補正の内容】
【考案の詳細な説明】
【技術分野】
【０００１】本考案は、従来のエコロジー処理コンピュータ台風対策飛行船としての氷水の入っている風船又はクーラントによる台風雲制御エコロジー処理コンピュータ台風対策飛行船に関する。
【背景技術】
【０００２】人工衛星ひまわりによる雨や雷などの台風雲情報化エコロジー処理コンピュータ台風対策飛行船です。
【考案の開示】
【考案が解決しようとする課題】
【０００３】しかしながら、人工衛星ひまわりによる台風雲情報化エコロジー処理コンピュータ台風対策飛行船では、情報化までで、台風雲を制御できないという欠点がある。【０００４】  本考案は、上記実情に鑑みてなされたものであり、イオン水製造装置によるイオン水の氷水の入っている風船又はクーラントにより、台風雲からの新しい雲の生起・移動・消滅の制御をする事を目的としている。
【課題を解決するための手段】
【０００５】上記目的を達成するため考案は、イオン水製造装置でできたイオン水の氷水の入っている風船又はクーラントを情報化された台風雲制御に運用する手段を有することであり、次の構成を含むことを特徴としている。ＧＰＳ航法システム（宇宙の人工衛星３個の電波を利用して、飛行船が自分の位置を知り、台風雲と整合し、台風雲の形状変化を起し、新しい台風雲を生起・移動・消滅制御する氷水の入っている風船又はクーラントを搭載する飛行船の運用によるものである。
【考案の効果】
【０００６】本考案により、地上台風被害市街地上空の雨や雷などの台風雲の生起・移動・消滅を電波時計による同時に１００万分の１秒高速度カメラによる情報化で制御する事ができる。
【図面の簡単な説明】
【０００７】
【図１】本考案のエコロジー処理コンピュータ台風対策飛行船を示す図である。イオン水製造装置とその氷水の入っている風船又はクーラントとＧＰＳ航法システムとその運用制御コンピュータ塔載飛行船１、氷水の入っている風船又はクーラント３、雲４、ＧＰＳ航法システム５、雨や雷などの台風雲６、地上台風被害市街地７、１００万分の１秒高速度カメラ８、電波時計９、です。
【考案を実施するための最良の形態】
【０００８】本考案の実施の形態の一例について、図面を参照しながら説明する。エコロジー処理コンピュータ台風対策飛行船は図１に示すように、ＧＰＳ航法システム５、により情報化された雨や雷などの台風雲６、に、雲４、をイオン水製造装置で造ったイオン水の氷水の入っている風船又はクーラント３、とその運用制御コンピュータ塔載の飛行船１、に電波時計９、と１００万分の１秒高速度カメラ８、で地上台風被害市街地７、の上空を情報化運用するものである。
【符号の説明】
【０００９】  １          飛行船（イオン水製造装置とそのイオン水の氷水の入っている風船又はクーラントとＧＰＳ航法システムとその運用コンピュータ塔載）  ３          氷水の入っている風船又は缶等のクーラント  ４          雲  ５          ＧＰＳ航法システム  ６          雨や雷などの台風雲  ７          地上台風被害市街地  ８          １００万分の１秒高速度カメラ  ９          電波時計
【手続補正２】
【補正対象書類名】実用新案登録請求の範囲
【補正対象項目名】全文
【補正方法】変更
【補正の内容】
【実用新案登録請求の範囲】
【請求項１】
温度計の乾湿球で知られる氷水の入っている風船又はクーラントの表面にその温度差が作る過飽和状態の湿気が水滴を作る事を利用して、台風雲の一部が形状変化して新しい形の雲が生起・移動・消滅するのを制御するその氷の状態を永く保持するイオン水の氷を使用するためイオン水製造装置を共にコンピュータ化して搭載したエコロジー処理コンピュータ台風対策飛行船。
【請求項２】
ＧＰＳ航法システムにより自分の位置を知る飛行船が台風雲との位置を整合するためＧＰＳ航法システムを具備する事を特徴とする請求項１記載のエコロジー処理コンピュータ台風対策飛行船。
【請求項３】
太陽エネルギーによる生物学的仕事の情報化桜前線を代表して他にもエネルギー一定のエネルギー・フィールドに於ける移相制御の生物学、化学、物理学、地学的仕事の情報化をエコロジー処理と呼んで、コンピュータ化するための１００万分の１秒高速度カメラを具備する事を特徴とする請求項１記載のエコロジー処理コンピュータ台風対策飛行船。
【請求項４】
ＧＰＳ航法システムとのコンピュータ化を計る電波時計を具備する事を特徴とする請求項１記載のエコロジー処理コンピュータ台風対策飛行船
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
温度計の乾湿球で知られる氷と氷水の入っている風船又はクーラントの表面にその温度差が作る過飽和状態の湿気が水滴をそして氷が氷水を作る事を利用して、台風雲の一部が形状変化して新しい形の雲が生起・移動・消滅するのを制御するその氷の形の状態を永く保持する事ができるかテストのためのイオン水の氷を使用するためイオン水製造装置の制御をコンピュータ化して搭載したエコロジー処理コンピュータ台風対策飛行船。
【請求項２】
ＧＰＳ航法システムにより自分の位置を知る飛行船が台風雲との位置を整合するためＧＰＳ航法システムを具備する事を特徴とする請求項１記載のエコロジー処理コンピュータ台風対策飛行船。
【請求項３】
Ｃ．Ｇ合成の絵による桜の開花をシミュレーションとして情報化してきた情報処理コンピュータ、その情報を使用して太陽エネルギー制御による生物学的仕事をさせて日本列島における情報化を桜前線と呼びこの環境技術の向上まで含めてエコロジー処理コンピュータと称します。他にもエネルギー一定のエネルギー・フィールドに於ける移相制御の情報化を生物学、化学、物理学、地学的仕事の情報化をエコロジー処理と呼んで時間制御のコンピュータ化するため100万分の１秒高速度カメラを具備する事を特徴とする請求項１記載のエコロジー処理コンピュータ台風対策飛行船。
【請求項４】
ＧＰＳ航法システムの時間制御整合に電波時計を具備してコンピュータ化する事を特徴とする請求項１記載のエコロジー処理コンピュータ台風対策飛行船。
ここで前述の環境技術の向上に地球環境ＣＯ２温暖化対策他が含まれます。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
温度計の乾湿球で知られる氷と氷水の入っている風船又はクーラントの表面にその温度差が作る過飽和状態の湿気が水滴をそして氷が氷水を作る事を利用して、台風雲の一部が形状変化して新しい形の雲が生起・移動・消滅するのを氷と氷水の入っている風船又はクーラントの表面で制御するのでその氷の形の状態を永く保持する事ができるかテストのための水道水と水道水をイオン化したイオン水の氷を比較使用するためコンピュータ化した水道水のイオン水製造装置を搭載したエコロジー処理コンピュータ台風対策飛行船。
【請求項２】
ＧＰＳ航法システムにより自分の位置を知る飛行船が台風雲との位置を整合するためＧＰＳ航法システムを具備する事を特徴とする請求項１記載のエコロジー処理コンピュータ台風対策飛行船。
【請求項３】
Ｃ.Ｇ.合成の絵による桜の開花をシュミレーションとして情報化してきた情報処理コンピュータ、その情報を使用して温室のような太陽エネルギー制御による桜の開花という生物学的仕事をさせて日本列島における情報化を桜前線と呼びこの環境技術の向上まで含めてエコロジー処理コンピュータと呼ぶため一般的にエネルギー一定のエネルギー・フィールドに於ける移相制御の情報化である生物学、化学、物理学、地学的仕事の情報化をエコロジー処理と呼び、時間制御のコンピュータ化するための１００万分の１秒高速度カメラを具備する事を特徴とする請求項１記載のエコロジー処理コンピュータ台風対策飛行船。
【請求項４】
ＧＰＳ航法システムの時間制御整合に電波時計を具備したコンピュータを具備する事を特徴とする請求項１記載のエコロジー処理コンピュータ台風対策飛行船
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
温度計の乾湿球で知られる氷と氷水の入っている風船又はクーラントの表面にその温度差が作る過飽和状態の湿気が水滴をそして氷が氷水を作る事を利用して、台風雲の一部が形状変化して新しい形の雲が生起・移動・消滅するのを氷と氷水の入っている風船又はクーラントの表面で制御するのでその氷の形の状態を永く保持する事ができるかテストのための水道水と水道水をイオン水製造装置により電離イオン化したイオン水の氷を比較使用するためその制御系の考案としてコンピュータ化した水道水のイオン水製造装置を搭載したエコロジー処理コンピュータ台風対策飛行船。
【手続補正２】
【補正対象書類名】実用新案登録請求の範囲
【補正対象項目名】請求項３
【補正方法】変更
【補正の内容】
【請求項３】
Ｃ.Ｇ.合成の絵による桜の開花をシュミレーションとして情報化してきた情報処理コンピュータ、その情報を使用して温室のような太陽エネルギーの利用による桜の開花時間制御の生物学的仕事をさせて日本列島における情報化を桜前線と呼びこの環境技術の向上まで含めてエコロジー処理コンピュータと呼ぶため一般的にエネルギー一定のエネルギー・フィールドに於ける移相制御の情報化である生物学、化学、物理学、地学的仕事の情報化をエコロジー処理と呼び、時間制御のコンピュータ化するための１００万分の１秒高速度カメラを具備する事を特徴とする請求項１記載のエコロジー処理コンピュータ台風対策飛行船。
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシュミレーションとしてエネルギー一定のエネルギー・フィールドに於ける移相制御の情報化してきた情報処理コンピュータ、その情報を使用する事により環境技術の向上として太陽エネルギーの利用による温室のように大気エネルギーを扉開閉等による温・湿度時間制御を追加してチューリップの開花の動画アナロジー制御により自然花開花の生物学的仕事エコロジーの処理を果しますが、情報処理コンピュータに追加した環境技術の向上のエネルギー制御デバイス（発明・工夫・装置・わな・仕掛け）による生物学、化学、物理学、地学的仕事の情報化をエコロジー処理コンピュータと呼ぶ事にするため、ここに台風雲の形状変化（新しい形の雲が生起・移動・消滅するのも含めて）をシュミレーションしてきた情報処理コンピュータに於ける情報を使用する事により環境技術の向上として氷と氷水の入っている風船又はクーラントの表面でエネルギーフィールドの移相制御の情報化するのでその氷の形の状態を永く保持する事ができるかテストのための水道水と水道水をイオン水製造装置により電離イオン化したイオン水の氷を比較使用するためその制御系と情報化としてコンピュータ化した水道水のイオン水製造装置を塔載した飛行船の動きのエネルギー制御を追加して台風雲形状変化の動画アナロジー制御により台風雲の形状変化実験の物理学、化学的仕事エコロジーの処理を果たすエコロジー処理コンピュータ台風対策飛行船。
【手続補正２】
【補正対象書類名】実用新案登録請求の範囲
【補正対象項目名】請求項３
【補正方法】変更
【補正の内容】
【請求項３】
情報処理コンピュータにその情報を使って環境技術の向上を計り生物学、化学、物理学、地学的仕事エコロジーの処理を果すエネルギー制御デバイスを結合させエコロジー処理の情報化デバイス時間制御のコンピュータ化するための１００万分の１秒高速度カメラを具備する事を特徴とする請求項１記載のエコロジー処理コンピュータ台風対策飛行船。
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
Ｃ、Ｇ合成の動画によるチューリップの開花をシミュレーションとしてきた情報処理コンピュータ。その情報を使用する事により環境技術の向上として太陽エネルギーの利用による温室のように扉開閉等による温湿度時間制御のエネルギー制御デバイスを追加してチューリップの開花の動画アナロジー制御により環境技術の向上のエネルギーデバイスによる生物学、地学的仕事の情報化をエコロジー処理コンピュータと呼ぶ事にするため、ここに台風雲の形状変化（新しい形の雲が生起・移動・消滅するのも含めて）をシミュレーションしてきた情報処理コンピュータに於ける情報を使用する事により環境技術の向上として氷と氷水の入っている風船又はクーラントの表面で水滴を得るためにその氷の形の状態を永く保持する事が出来るかテストのための水道水の氷と水道水をイオン水製造装置により電離イオン化したイオン水の氷を比較使用するためそのエネルギー制御デバイスとしての水道水のイオン水製造装置を搭載した飛行船の動きのエネルギー制御デバイスをケシゴムつきえんぴつのようにくっつけて台風雲形状変化の動画アナロジー制御により台風雲の形状変化実験の物理学、化学的仕事エコロジーの処理を果たす飛行船のエネルギー制御デバイスと共にエコロジー処理コンピュータを構成するエコロジー処理コンピュータ台風対策飛行船。
【手続補正書】
【提出日】平成22年1月8日(2010.1.8)
【手続補正１】
【補正対象書類名】実用新案登録請求の範囲
【補正対象項目名】請求項１
【補正方法】変更
【補正の内容】
【請求項１】
水道水のイオン水製造装置により電離イオン化したイオン水で作った氷と氷水の入っている風船又はクーラントの表面で水滴をえるために飛行船にぶら下げ、台風雲にぶつけるこれらを搭載している飛行船まで含めたエネルギー制御のコンピュータコントロールによるエコロジーとしての台風雲形状変化をテストするエコロジー処理コンピュータを構成するエコロジー処理コンピュータ台風対策飛行船。